(57)【要約】  本発明は、多用途の折り畳み式家具に関し、家具本体と２組のサイドブラケットとを備え、前記家具本体は、座板及び背板を含み、前記座板と背板とがヒンジ連結され、２組のサイドブラケットがそれぞれ家具本体の両側にあり、１組毎のサイドブラケットは、フロントブラケット、リアブラケット、及び、フロントブラケットの外に摺動可能に外挿し、リアブラケットにヒンジ連結される収納スリーブをそれぞれ１つ有し、前記フロントブラケットの先端部が背板にヒンジ連結され、前記リアブラケットの先端部が座板にヒンジ連結され、前記フロントブラケットとリアブラケットとの間にブラケット連結片が設けられ、前記ブラケット連結片の両端の内側又は外側がそれぞれフロントブラケット及びリアブラケットにヒンジ連結されている。本発明の多用途の折り畳み式家具は、椅子、テーブル又は手押し車という３種類の家具を構成することができ、多用途で使用されることができ、リソースを節約する。本発明の多用途の折り畳み式家具は、いずれかの状態でも直接折り畳まれるか、或いは展開されることができ、各状態間での変換が容易であり、その使用が簡便かつ柔軟であり、折り畳んだ占用スペースが小さく、持ちやすい。【選択図】図１
2019513423.tif 000002
【特許請求の範囲】
【請求項１】
家具本体と２組のサイドブラケットとを備え、前記家具本体は、座板及び背板を含み、前記座板と背板とがヒンジ連結され、２組のサイドブラケットがそれぞれ家具本体の両側にあり、１組毎のサイドブラケットは、フロントブラケット、リアブラケット、及びフロントブラケットの外に摺動可能に外挿し、リアブラケットにヒンジ連結される収納スリーブをそれぞれ１つ有し、前記フロントブラケットの先端部が背板にヒンジ連結され、前記リアブラケットの先端部が座板にヒンジ連結され、前記フロントブラケットとリアブラケットとの間にブラケット連結片が設けられ、前記ブラケット連結片の両端の内側又は外側はそれぞれフロントブラケット及びリアブラケットにヒンジ連結されている、ことを特徴とする多用途の折り畳み式家具。
【請求項２】
ブラケット連結片は、一端の外側がフロントブラケットにヒンジ連結され、他端の内側がリアブラケットにヒンジ連結されている、ことを特徴とする請求項１に記載の多用途の折り畳み式家具。
【請求項３】
前記収納スリーブには第１のバックルが設けられていることを特徴とする請求項１に記載の多用途の折り畳み式家具。
【請求項４】
前記ブラケット連結片は、剛性材料製のブラケット連結片又は可撓性材料製のブラケット連結片である、ことを特徴とする請求項３に記載の多用途の折り畳み式家具。
【請求項５】
前記座板は、背板の中下部にヒンジ連結されている、ことを特徴とする請求項１に記載の多用途の折り畳み式家具。
【請求項６】
ローラ連結体をさらに備え、それぞれのフロントブラケット及びリアブラケットの底部に１つのローラ連結体が取り付けられている、ことを特徴とする請求項１に記載の多用途の折り畳み式家具。
【請求項７】
各ローラ連結体は、ローラ及び固定スリーブを有し、前記ローラは、固定スリーブを介してフロントブラケット又はリアブラケットの底部に取り外し可能に取り付けられ、前記固定スリーブには第２のバックルが設けられている、ことを特徴とする請求項６に記載の多用途の折り畳み式家具。
【請求項８】
背板の先端部に取り付けられている押しハンドルをさらに備える、ことを特徴とする請求項１または６に記載の多用途の折り畳み式家具。
【請求項９】
座板クッションと背板クッションとをさらに備え、前記座板クッションは座板の正面に設けられ、前記背板クッションは背板の正面に設けられている、ことを特徴とする請求項１に記載の多用途の折り畳み式家具。
【請求項１０】
両本のフロントブラケット同士はフロントクロスバーを介して連結され、両本のリアブラケット同士はリアクロスバーを介して連結されている、ことを特徴とする請求項１に記載の多用途の折り畳み式家具。
【発明の詳細な説明】
【技術分野】
【０００１】
本発明は、家具分野に関し、特に、多用途の折り畳み式家具に関する。
【背景技術】
【０００２】
折り畳み式家具は、近代的な家具の重要なカテゴリであり、その形状がシンプルであり、多用途で使いやすく、家庭用及び旅行用が可能であり、取り外したり折り畳んだりしやすく、占用スペースが小さい等によって、人々に愛されている。従来の折り畳み式家具は、ほとんど単一用途の家具であり、例えば、折り畳み可能な椅子等である。リソースをよりよく利用するために、多用途の折り畳み式家具、例えば、椅子及びテーブルに折り畳まれることができる家具の開発が始まっている。例えば、公開番号がＣＮ２００９４７９３５Ｙである中国実用新案特許には、リアバックフレームの両側にそれぞれ１つの手すりフレームがヒンジ連結され、リアバックフレーム及び手すりフレームの中部にそれぞれ横ステーが固接され、リアバックフレームのトップビームとステーとの間に背板が設けられ、ステーの下方に座板が設けられ、背板と座板とリアバックフレームとが運動可能に連結されている多用途家具が開示されている。この多用途家具は、座り椅子又はテーブルを容易に構成することができ、非使用時に平板状に折り畳まれることができ、積み重ねや運搬をまとめて行うことが容易である。
【０００３】
しかし、従来の多用途の折り畳み式家具は、依然として、折り畳みが不便であり、折り畳んだ体積が大きく、様々な使用状態間での変換を柔軟に行うことができない等の問題がある。
【先行技術文献】
【特許文献】
【０００４】
【特許文献１】中国実用新案特許ＣＮ２００９４７９３５Ｙ
【発明の概要】
【発明が解決しようとする課題】
【０００５】
これに鑑みて、上記問題に対して、多用途の折り畳み式家具を提案する必要がある。
【課題を解決するための手段】
【０００６】
上記目的を達成するために、本発明は、以下の構成となる。
【０００７】
多用途の折り畳み式家具であって、家具本体と２組のサイドブラケットとを備え、前記家具本体は、座板と背板とを含み、前記座板と背板とがヒンジ連結され、２組のサイドブラケットがそれぞれ家具本体の両側にあり、１組毎のサイドブラケットは、フロントブラケット、リアブラケット、及びフロントブラケットの外に摺動可能に外挿し、リアブラケットにヒンジ連結される収納スリーブをそれぞれ１つ有し、前記フロントブラケットの先端部が背板にヒンジ連結され、前記リアブラケットの先端部が座板にヒンジ連結され、前記フロントブラケットとリアブラケットとの間にブラケット連結片が設けられ、前記ブラケット連結片の両端の内側又は外側がそれぞれフロントブラケット及びリアブラケットにヒンジ連結されている。
【０００８】
さらに好ましくは、前記収納スリーブには、収納スリーブの摺動を制限するための第１のバックルが設けられている。
【０００９】
好ましくは、ブラケット連結片は、一端の外側がフロントブラケットにヒンジ連結され、他端の内側がリアブラケットにヒンジ連結されている。前記ブラケット連結片は、フロントブラケットとリアブラケットとが展開状態にある際の最大角度を規定し、フロントブラケットとリアブラケットの位置を相対固定する。
【００１０】
さらに好ましくは、前記ブラケット連結片は、剛性材料製のブラケット連結片又は可撓性材料製のブラケット連結片である。例えば、ストラップ等、柔らかいものの弾性のない材料で本発明のブラケット連結片を製作してもよいし、金属材料で本発明のブラケット連結片を製作してもよい。
【００１１】
好ましくは、前記座板は、背板の中下部にヒンジ連結されている。
【００１２】
好ましくは、前記多用途の折り畳み式家具は、ローラ連結体をさらに備え、それぞれのフロントブラケット及びリアブラケットの底部に１つのローラ連結体が取り外し可能に取り付けられている。
【００１３】
好ましくは、各ローラ連結体は、ローラ及び固定スリーブを有し、前記ローラは、固定スリーブを介してフロントブラケット又はリアブラケットの底部に取り付けられ、前記固定スリーブには、ローラ連結体をフロントブラケット又はリアブラケットの底部に取り外し可能に取り付けるための第２のバックルが設けられている。
【００１４】
好ましくは、前記多用途の折り畳み式家具は、背板の先端部に取り付けられている押しハンドルをさらに備える。
【００１５】
さらに好ましくは、前記押しハンドルは、背板の先端部に取り外し可能に取り付けられている。
【００１６】
好ましくは、前記多用途の折り畳み式家具は、座板の正面に取り付けられている座板クッションをさらに備える。
【００１７】
好ましくは、前記多用途の折り畳み式家具は、前記背板クッション背板の正面に取り付けられている背板クッションをさらに備える。
【００１８】
好ましくは、両本のフロントブラケット件同士はフロントクロスバーを介して連結され、両本のリアブラケット同士はリアクロスバーを介して連結されている。
【発明の効果】
【００１９】
従来技術に比べ、本発明は、以下の有益な効果を有する。
【００２０】
本発明の多用途の折り畳み式家具は、椅子、テーブル又は手押し車という３種類の家具を構成することができ、多用途で使用されることができ、リソースを節約し、浪費を低減する。本発明の多用途の折り畳み式家具は、いずれかの状態でも直接折り畳まれるか、或いは展開されることができ、各状態間での変換が容易であり、その使用が簡便かつ柔軟であり、折り畳んだ占用スペースが小さく、持ちやすい。
【図面の簡単な説明】
【００２１】
【図１】本発明の実施例１における多用途の折り畳み式家具の椅子状態の模式図である。
【図３】本発明の実施例１における多用途の折り畳み式家具のテーブル状態の模式図である。
【図３】本発明の実施例２における多用途の折り畳み式家具の椅子状態の模式図である。
【図４】本発明の実施例２における多用途の折り畳み式家具の手押し車状態の模式図である。
【図５】本発明の多用途の折り畳み式家具の複数の状態間での変換の模式図である。
【発明を実施するための形態】
【００２２】
本発明をよりよく説明するために、以下、図面及び具体的な実施形態を結合してさらに説明する。
【実施例１】
【００２３】
図１及び図２に示すように、多用途の折り畳み式家具は、家具本体１と２組のサイドブラケット２とを備え、前記家具本体１は、座板１１及び背板１２を含み、前記座板１１は、ピンを介して背板１２の中下部にヒンジ連結され、２組のサイドブラケット２は、それぞれ家具本体１の両側にある。１組毎のサイドブラケット２は、フロントブラケット２１、リアブラケット２２、及び収納スリーブ２３をそれぞれ１つ有し、前記フロントブラケット２１の先端部が背板１２の上部にヒンジ連結され、背板１２は、フロントブラケット２１とのヒンジ連結箇所回りに１８０°回転することができ、前記リアブラケット２２の先端部と座板１１の前部とがヒンジ連結されている。前記フロントブラケット２１の長さはリアブラケット２２の長さよりも大きく、前記フロントブラケット２１はリアブラケット２２の外側にある。
【００２４】
好ましくは、前記フロントブラケット２１とリアブラケット２２とが収納スリーブ２３を介してヒンジ連結され、前記収納スリーブ２３がフロントブラケット２１の外に摺動可能に外挿し、前記収納スリーブ２３とリアブラケット２２とがヒンジ連結され、リアブラケット２２は収納スリーブ２３によってフロントブラケット２１に沿って摺動可能であり、これにより、様々な折り畳みまたは展開状態間での変換が便利になる。
【００２５】
好ましくは、前記フロントブラケット２１とリアブラケット２２との間にブラケット連結片２４が設けられ、前記ブラケット連結片２４の両端がそれぞれフロントブラケット２１及びリアブラケット２２にヒンジ連結され、フロントブラケット２１はブラケット連結片２４の外側にあり、リアブラケット２２はブラケット連結片２４の内側にある。前記ブラケット連結片は、フロントブラケットとリアブラケットとが展開状態にある際の最大角度を規定し、フロントブラケットとリアブラケットの位置を相対固定し、フロントブラケット２１における収納スリーブ２３の摺動範囲を規制する。本実施例において、ブラケット連結片は、剛性材料製のブラケット連結片であり、例えば、金属材料製のブラケット連結片である。
【００２６】
さらに好ましくは、前記収納スリーブ２３には第１のバックル４１が設けられ、前記第１のバックル４１は、収納スリーブ２３の摺動を規制する。バックルの具体的な構造は、当業者がよく知っており、ここではその詳細を省略する。第１のバックル４１が係合状態にある場合、収納スリーブ２３がフロントブラケット２１における位置決め孔内に係合され、これにより、収納スリーブ２３がフロントブラケット２１に固定され、フロントブラケット２１に沿って自由に摺動することができなくなる。第１のバックル４１が展開状態にある場合、収納スリーブ２３がフロントブラケット２１における位置決め孔から脱出し、収納スリーブ２３はフロントブラケット２１に沿って自由に摺動することができる。
【００２７】
好ましくは、両本のフロントブラケット２１同士は、フロントクロスバー２５を介して連結され、両本のリアブラケット２２同士は、リアクロスバー２６を介して連結されている。クロスバーを用いてサイドブラケット２を連結することで、サイドブラケット２をより安定化することができるだけでなく、両本のフロントブラケット２１、両本のリアブラケット２２を同期運動させることもでき、折り畳みやすい。
【００２８】
好ましくは、前記多用途の折り畳み式家具は、座板クッション１３と背板クッション１４とをさらに備え、前記座板クッション１３が座板１１の正面に嵌め込まれ、前記背板クッション１４が背板１２の正面に嵌め込まれる。本発明に使用される座板クッション１３及び背板クッション１４は、人間工学に適する材質及び形状を有し、座ったり凭れたりする時はとても快適である。本発明の多用途の折り畳み式家具がテーブル状態である場合、座板クッション１３及び背板クッション１４が下方に隠れており、汚れて破損しにくい。
【００２９】
本発明の多用途の折り畳み式家具は、テーブル及び椅子に変換されることができる。以下、図５を結合して椅子状態、テーブル状態及び２つの状態間での変換を具体的に説明する。
【００３０】
椅子状態：前記座板１１は、ピンによって背板１２の中下部にヒンジ連結され、座板１１の正面が上向きにされ、背板１２の正面が前向きにされ、座板１１の正面に座板クッション１３が取り付けられ、背板１２に背板クッション１４が取り付けられ、２組のサイドブラケット２はそれぞれ家具本体１の両側にある。１組毎のサイドブラケット２は、フロントブラケット２１及びリアブラケット２２をそれぞれ１つ有し、前記フロントブラケット２１の先端部が背板１２の上部にヒンジ連結され、前記リアブラケット２２の先端部と座板１１とがヒンジ連結されている。前記フロントブラケット２１とリアブラケット２２とが収納スリーブ２３を介してヒンジ連結され、収納スリーブ２３はフロントブラケット２１の外に摺動可能に外挿する。前記フロントブラケットとリアブラケットとの間にブラケット連結片が設けられ、前記ブラケット連結片の両端がそれぞれフロントブラケット及びリアブラケットにヒンジ連結され、フロントブラケット２１が前方にあり、リアブラケット２２が後方にあるように展開状態にある。
【００３１】
椅子状態からテーブル状態への変換方法：椅子状態（図５Ａ）から座板１１の前部を上向きに持ち上げ、収納スリーブ２３はフロントブラケット２１に沿って上向きに摺動し、座板１１は背板１２と重なるまで回転され、リアブラケット２２はフロントブラケット２１と重なるまで前向きに回転される（図５Ｃ）。そして、背板１２の下部を上向きに持ち上げ、背板１２の裏面を下向きにさせ、リアブラケット２２はフロントブラケット２１の前方にあるまで前向きに回転され続ける。リアブラケット２２の回転によって、座板１１の前部が後下方に向かって運動するように動かし、フロントブラケット２１とリアブラケット２２とが展開状態にある場合、座板１１は背板１２を支持し、背板１２の裏面が水平上向きとなり、テーブル状態に変換される（図５Ｇ）。上述と逆なステップに従って、テーブル状態から椅子状態へ変換させることができる。
【００３２】
テーブル状態：背板１２の裏面が上向きにされ、座板１１の一端が背板１２の正面にヒンジ連結され、座板１１が背板１２よりも下にあり、座板１１の他端がリアブラケット２２の先端部にヒンジ連結され、背板１２の一端がフロントブラケット２１の先端部にヒンジ連結され、フロントブラケット２１とリアブラケット２２とは収納スリーブ２３を介してヒンジ連結され、収納スリーブ２３がフロントブラケット２１の外に摺動可能に外挿し、収納スリーブ２３とリアブラケット２２とがヒンジ連結されている。
【実施例２】
【００３３】
図３及び図４に示すように、本実施例において、多用途の折り畳み式家具は、実施例１に記載の構造以外に、ローラ連結体３と押しハンドル５とをさらに備えている。それぞれのフロントブラケット２１及びリアブラケット２２の底部に１つのローラ連結体３が取り外し可能に取り付けられ、前記押しハンドル５は背板１２の先端部に取り外し可能に取り付けられている。本実施例におけるローラ連結体３および押しハンドル５は、取り外し可能に取り付けられ、交換及び保守が容易である。
【００３４】
本実施例において、多用途の折り畳み式家具は、ブラケット連結片２４をさらに備え、前記ブラケット連結片２４は、フロントブラケット２１とリアブラケット２２との間に位置し、前記ブラケット連結片２４の両端の内外両側は、それぞれフロントブラケット２１およびリアブラケット２２にヒンジ連結され、フロントブラケット２１はブラケット連結片２４の外側にあり、リアブラケット２２はブラケット連結片２４の内側にある。前記ブラケット連結片は、フロントブラケットとリアブラケットとが展開状態にある際の最大角度を規定し、フロントブラケットとリアブラケットの位置を相対固定し、フロントブラケット２１における収納スリーブ２３の摺動範囲を規制する。本実施例において、ブラケット連結片は、可撓性材料製のブラケット連結片であり、例えば、ロープをブラケット連結片とする。
【００３５】
好ましくは、前記ローラ連結体３は、ローラ３１及び固定スリーブ３２を有し、前記ローラは、固定スリーブ３２を介してフロントブラケット２１及びリアブラケット２２の底部に取り付けられ、前記固定スリーブ３２には第２のバックル４２が設けられている。前記第２のバックル４２がフロントブラケット２１及びリアブラケット２２の留め孔に係合される場合、ローラ３１及び固定スリーブ３２は、フロントブラケット２１及びリアブラケット２２に固定されるようになり、第２のバックル４２がフロントブラケット及びリアブラケットの留め孔から脱出する場合、ローラ３１及び固定スリーブ３２をフロントブラケット２１及びリアブラケット２２から取り外すことができる。
【００３６】
本実施例における多用途の折り畳み式家具は、同様に、テーブル又は椅子状態に折り畳まれることができる。椅子状態に折り畳まれた場合、押しハンドル５は、背板１２の先端部にあり、頭部の凭れ掛かり構造とされることができる。テーブル状態に折り畳まれた場合、押しハンドル５がテーブルの一端にあり、テーブルの使用には影響しない。ローラを有するため、椅子又はテーブルの移動が非常に便利であり、手間を省く。
【００３７】
本実施例における多用途の折り畳み式家具は、さらに、手押し車として使用されてもよい。手押し車の折り畳み状態は、本実施例におけるテーブルの折り畳み状態と同様であり、背板１２は、荷重受け部分として、運搬する必要のある物品が載せられ、押しハンドル５は、付勢部分として押しハンドル５を押し動かすことにより、本発明の多用途の折り畳み式家具を手押し車として使用することができる。
【００３８】
以上に述べた実施例は、本発明のいくつかの実施形態のみについて説明し、その説明は具体的で詳しくされているが、本発明の特許範囲を制限するものと理解されてはならない。当業者にとって、本発明の主旨から逸脱しない前提において若干の変形や手直しが可能であり、これらも本発明の保護範囲にあることは、指摘されるべきである。それゆえ、添付した請求項に基づいて本発明特許の保護範囲が定められるべきである。
【符号の説明】
【００３９】
１  家具本体
２  サイドブラケット
３  ローラ連結体
１１  座板
１２  背板
１３  座板クッション
１４  背板クッション
２１  フロントブラケット
２２  リアブラケット
２３  収納スリーブ
２４  ブラケット連結片
２５  フロントクロスバー
２６  リアクロスバー
３１  ローラ
３２  固定スリーブ
４１  第１のバックル
４２  第２のバックル
５  押しハンドル
【図１】
2019513423.tif 000003
【図２】
2019513423.tif 000004
【図３】
2019513423.tif 000005
【図４】
2019513423.tif 000006
【図５】
2019513423.tif 000007
【国際調査報告】
2019513423.tif 000008
2019513423.tif 000009
2019513423.tif 000010
2019513423.tif 000011